(57)【要約】【課題】溶解槽内に投入した透析用粉末薬剤の量の適否を簡易な構成で精度よく判断することができる溶解装置を提供する。【解決手段】透析用粉末薬剤を溶解して透析用原液を得るための溶解装置１において、透析用粉末薬剤を収容し得る溶解槽２と、溶解槽２に透析用粉末薬剤を溶解するための水を供給するための給水ラインＬ１と、溶解槽２内の溶液を攪拌し得る攪拌手段４と、溶解槽２内に供給された水又は溶液の液位を連続的且つリアルタイムに検出可能な液位検出手段６と、液位検出手段６により検出された液位に基づいて、溶解槽２内に供給された水の量に対する溶解槽２内に投入された透析用粉末薬剤の量の適否を判断し得る判断手段７とを備えたものである。【選択図】図２
2019022754.tif 000002
【特許請求の範囲】
【請求項１】
透析用粉末薬剤を溶解して透析用原液を得るための溶解装置において、
前記透析用粉末薬剤を収容し得る溶解槽と、
前記溶解槽に前記透析用粉末薬剤を溶解するための水を供給するための給水ラインと、
前記溶解槽内の溶液を攪拌し得る攪拌手段と、
前記溶解槽内に供給された水又は溶液の液位を連続的且つリアルタイムに検出可能な液位検出手段と、
前記液位検出手段により検出された液位に基づいて、前記溶解槽内に供給された水の量に対する前記溶解槽内に投入された透析用粉末薬剤の量の適否を判断し得る判断手段と、
を備え、前記判断手段は、前記溶解槽内に供給された水の量に対して投入された透析用粉末薬剤の量が適正である場合の液位の理論値と、前記液位検出手段により検出された液位の実測値とを比較し、当該液位の理論値と実測値との差から前記溶解槽内に供給された水の量に対する前記溶解槽内に投入された透析用粉末薬剤の過不足量を算出し得ることを特徴とする溶解装置。
【請求項２】
前記攪拌手段による攪拌が所定時間行われるよう設定されるとともに、当該所定時間経過後、前記判断手段により前記溶解槽内に供給された水の量に対する前記溶解槽内に投入された透析用粉末薬剤の量が適切でないと判断された場合、その旨を報知することを特徴とする請求項１記載の溶解装置。
【請求項３】
前記溶解槽内に投入された前記透析用粉末薬剤の量を入力する入力手段を具備するとともに、前記判断手段は、当該入力手段で入力された入力値と前記液位検出手段により検出された液位とに基づいて、透析用粉末薬剤の投入量の適宜を判断し得ることを特徴とする請求項１又は請求項２記載の溶解装置。
【請求項４】
前記液位検出手段により検出された液位に基づいて、前記溶解槽内で生成された透析用原液の容量を算出し得ることを特徴とする請求項１〜３の何れか１つに記載の溶解装置。
【発明の詳細な説明】
【技術分野】
【０００１】
本発明は、透析用粉末薬剤を溶解して透析用原液を得るための溶解装置に関するものである。
【背景技術】
【０００２】
病院等で腎不全患者の治療に使用される透析液は、一般に重炭酸塩系と酢酸系とに区分され、このうち重炭酸塩系の透析液は、重炭酸ナトリウムを含まないもの（以下、Ａ剤という。）と重炭酸ナトリウム（以下、Ｂ剤という。）の２種類の薬剤に水を混合して調整されるものである。近年、運搬性向上の観点から、これらＡ剤及びＢ剤を粉末化したもの（以下、「透析用粉末薬剤」という。）を透析治療時間の前に溶解する試みがなされているが、溶解後の溶液（特にＢ剤）については経時的に濃度の低下が生じやすく、大量の溶液を作り置きしておくことが難しかった。
【０００３】
このため、透析治療毎に溶解作業が必要となり、従来から溶解のための溶解装置が各種提案されている。例えば特許文献１には、２つの溶解槽を併設した溶解装置が開示されている。かかる構成により、透析終了後、一方の溶解槽に次回の透析に備えて予め透析用粉末薬剤を投入しておき、他方の溶解槽は次回の透析が開始されるまでの間に、洗浄消毒を行うことができる。また、透析中、一方の溶解槽から透析液原液を人工透析液供給装置に供給している間に、他方の溶解槽で透析用粉末薬剤の追加溶解を行うことができる。
【先行技術文献】
【特許文献】
【０００４】
【特許文献１】特開２００１−９０２８号公報
【発明の概要】
【発明が解決しようとする課題】
【０００５】
しかしながら、上記従来技術においては、溶解槽内に供給された水の量に対する溶解槽内に投入された透析用粉末薬剤の量の適否を判断することが困難であったので、作業者が間違った量の透析用粉末薬剤を投入してしまった場合、不適切な濃度の透析用原液が生成されてしまうという問題があった。また、透析用原液の電導度を測定し、その測定値に基づいて透析用粉末薬剤の投入量の適否を判断することも考えられるが、その場合、攪拌生成後に初めて投入量の適否が判断できることから、投入量が不適切と判断されると、攪拌生成作業をもう一度やり直す必要があった。
【０００６】
本発明は、このような事情に鑑みてなされたもので、溶解槽内に投入した透析用粉末薬剤の量の適否を簡易な構成で精度よく判断することができる溶解装置を提供することにある。
【課題を解決するための手段】
【０００７】
請求項１記載の発明は、透析用粉末薬剤を溶解して透析用原液を得るための溶解装置において、前記透析用粉末薬剤を収容し得る溶解槽と、前記溶解槽に前記透析用粉末薬剤を溶解するための水を供給するための給水ラインと、前記溶解槽内の溶液を攪拌し得る攪拌手段と、前記溶解槽内に供給された水又は溶液の液位を連続的且つリアルタイムに検出可能な液位検出手段と、前記液位検出手段により検出された液位に基づいて、前記溶解槽内に供給された水の量に対する前記溶解槽内に投入された透析用粉末薬剤の量の適否を判断し得る判断手段とを備え、前記判断手段は、前記溶解槽内に供給された水の量に対して投入された透析用粉末薬剤の量が適正である場合の液位の理論値と、前記液位検出手段により検出された液位の実測値とを比較し、当該液位の理論値と実測値との差から前記溶解槽内に供給された水の量に対する前記溶解槽内に投入された透析用粉末薬剤の過不足量を算出し得ることを特徴とする。
【０００８】
請求項２記載の発明は、請求項１記載の溶解装置において、前記攪拌手段による攪拌が所定時間行われるよう設定されるとともに、当該所定時間経過後、前記判断手段により前記溶解槽内に供給された水の量に対する前記溶解槽内に投入された透析用粉末薬剤の量が適切でないと判断された場合、その旨を報知することを特徴とする。
【０００９】
請求項３記載の発明は、請求項１又は請求項２記載の溶解装置において、前記溶解槽内に投入された前記透析用粉末薬剤の量を入力する入力手段を具備するとともに、前記判断手段は、当該入力手段で入力された入力値と前記液位検出手段により検出された液位とに基づいて、透析用粉末薬剤の投入量の適宜を判断し得ることを特徴とする。
【００１０】
請求項４記載の発明は、請求項１〜３の何れか１つに記載の溶解装置において、前記液位検出手段により検出された液位に基づいて、前記溶解槽内で生成された透析用原液の容量を算出し得ることを特徴とする。
【発明の効果】
【００１１】
請求項１の発明によれば、溶解槽内に供給された水又は溶液の液位を連続的且つリアルタイムに検出可能な液位検出手段と、液位検出手段により検出された液位に基づいて、溶解槽内に供給された水の量に対する溶解槽内に投入された透析用粉末薬剤の量の適否を判断し得る判断手段とを備えたので、溶解槽内に投入した透析用粉末薬剤の量の適否を簡易な構成で精度よく判断することができる。
【００１２】
また、判断手段は、溶解槽内に供給された水の量に対して投入された透析用粉末薬剤の量が適正である場合の液位の理論値と、液位検出手段により検出された液位の実測値とを比較し、当該液位の理論値と実測値との差から溶解槽内に供給された水の量に対する溶解槽内に投入された透析用粉末薬剤の量の適否を判断し得るので、投入された透析用粉末薬剤の量の適否をより精度よく判断することができる。
【００１３】
さらに、判断手段は、液位の理論値と実測値との差から溶解槽内に供給された水の量に対する溶解槽内に投入された透析用粉末薬剤の過不足量を算出し得るので、投入された透析用粉末薬剤の量の適否に加え、不足量又は過多量を把握することができ、適正とするために透析用粉末薬剤又は水をどの程度追加すべきか報知させることができる。
【００１４】
請求項２の発明によれば、攪拌手段による攪拌が所定時間行われるよう設定されるとともに、当該所定時間経過後、判断手段により溶解槽内に供給された水の量に対する溶解槽内に投入された透析用粉末薬剤の量が適切でないと判断された場合、その旨を報知するので、投入された透析用粉末薬剤の量が適切でない透析用原液を透析治療装置側に送液してしまうのを防止することができる。
【００１５】
請求項３の発明によれば、溶解槽内に投入された透析用粉末薬剤の量を入力する入力手段を具備するとともに、判断手段は、当該入力手段で入力された入力値と液位検出手段により検出された液位とに基づいて、透析用粉末薬剤の投入量の適宜を判断し得るので、溶解装置に対して透析用粉末薬剤の投入量を確実に把握させることができ、透析用粉末薬剤の投入量の適否を精度よく判断させることができる。
【００１６】
請求項４の発明によれば、液位検出手段により検出された液位に基づいて、溶解槽内で生成された透析用原液の容量を算出し得るので、液位検出手段について、投入された透析用粉末薬剤の量の適否を判断するための手段として機能させるのに加え、溶解槽内で生成された透析用原液の容量を算出するための手段として機能させることができる。
【図面の簡単な説明】
【００１７】
【図１】本発明の実施形態に係る溶解装置を示す平面図及び正面図
【図２】同溶解装置の内部構成を示す模式図
【図３】同溶解装置における制御内容を示すフローチャート
【図４】本発明の他の実施形態に係る溶解装置の制御内容を示すフローチャート
【発明を実施するための形態】
【００１８】
以下、本発明の実施形態について図面を参照しながら具体的に説明する。
本実施形態に係る溶解装置は、透析用粉末薬剤を溶解し透析用原液を得るものであって、図１、２に示すように、透析用粉末薬剤を収容し得る溶解槽２及び補助溶解槽３と、これら溶解槽２及び補助溶解槽３のそれぞれに透析用粉末薬剤を溶解するための水を供給するための給水ラインＬ１、Ｌ２と、溶解槽２及び補助溶解槽３内の液体を攪拌し得る攪拌手段４、５と、液位検出手段６と、記憶手段８及び算出手段９を有した判断手段７と、入力手段１０と、表示手段１１とから主に構成される。
【００１９】
溶解槽２は、重炭酸ナトリウムを含まないもの（Ａ剤）又は重炭酸ナトリウム（Ｂ剤）の２種類のうち何れかから成る透析用粉末薬剤を投入可能な収容空間を有するとともに、給水源Ａから延設された給水ラインＬ１が接続されている。かかる給水ラインＬ１には、電磁弁等から成るバルブＶ１が配設されており、このバルブＶ１を開状態とすることにより溶解槽２内に給水可能とされている。しかして、給水源Ａから所定量の水を溶解槽２内に供給して収容させた後、その水の量に対して決められた量（規定量）の透析用粉末薬剤を溶解槽２に投入して攪拌することにより、所定量及び所定濃度の透析用原液を得ることができる。
【００２０】
補助溶解槽３は、溶解槽２に投入される透析用粉末薬剤と同種の透析用粉末薬剤を投入可能な空間を有すると共に、溶解槽２の攪拌ラインＬ３から延設された給水ラインＬ２が接続されている。かかる給水ラインＬ２には、電磁弁等からなるバルブＶ２が配設されており、このバルブＶ２を開状態にすることにより、溶解槽２より補助溶解槽３内に給水可能とされている。かかる補助溶解槽３は、溶解槽２に比べて相対的に容量が小さなタンクとされ、オーバーフローラインＬ５にて溶解槽２に接続されている。
【００２１】
しかして、補助溶解槽３に予め透析用粉末薬剤を投入しておき、治療時、溶解槽２に定められた十分な量の給水を行い、給水ラインＬ２から給水しつつ攪拌するとともに、攪拌ラインＬ３に配設されたバルブＶ３を閉状態にして、オーバーフローラインＬ５を介して溶解槽２にも溶解液を送液することにより、溶解槽２と補助溶解槽３との両方によって所定量及び所定濃度の透析用原液を生成する。そして、先ず溶解槽２内の透析用原液を透析治療装置側（透析液供給装置等）に送液し、当該溶解槽２が空になると、補助溶解槽３内の透析用原液を継続して送液することができる。なお、補助溶解槽３内の透析用原液を送液している間、溶解槽２に透析用粉末薬剤を投入して溶解させることで、当該溶解槽２単独で透析用原液を生成することができる。
【００２２】
よって、補助溶解槽３を具備することにより、治療前（治療前日の夜等）においては、補助溶解槽３に透析用粉末薬剤が投入された状態で溶解槽２に対する洗浄や消毒等を行わせることができるとともに、治療中においては、貯槽として機能させることができる。また、本実施形態に適用される透析用粉末薬剤は、溶解袋に所定量毎に袋詰めされており、作業者が溶解袋を破り、内部の透析用粉末薬剤を溶解槽２又は補助溶解槽３に投入するようになっている。
【００２３】
攪拌手段４は、溶解槽２内に収容された液体（溶液）を攪拌するためのもので、本実施形態においては、循環ラインＬ３の先端に接続されたノズルから成る。この循環ラインＬ３は、溶解槽２の底面から延設され、その先端が当該溶解槽２内に配設された攪拌手段４に接続された循環流路から成るとともに、流路の途中にポンプＰ１が配設されたものである。しかして、ポンプＰ１を駆動させると、溶解槽２の液体が攪拌手段４から噴出して循環し得るので、当該溶解槽２内の液体を攪拌することができるのである。
【００２４】
攪拌手段５は、補助溶解槽３内に収容された液体（溶液）を攪拌するためのもので、本実施形態においては、給水ラインＬ２の先端に接続されたノズルから成る。この給水ラインＬ２は、溶解槽２の攪拌ラインＬ３から延設され、その先端が当該補助溶解槽３内に配設された攪拌手段５に接続されている。しかして、溶解槽２に定められた十分な量の給水を行い、その後バルブＶ２を開きポンプＰ１を駆動させると、溶解槽２の液体が攪拌手段５から噴出して、当該補助溶解槽３内の透析用粉末薬剤を攪拌するとともに、攪拌ラインＬ３に配設されたバルブＶ３を閉状態にして、オーバーフローラインＬ５を介して溶解槽２にも溶解液を送液し、溶解槽２と補助溶解槽３との両方によって攪拌溶解を行う。
【００２５】
なお、本実施形態に係る攪拌手段４、５は、循環流路から成る循環ラインＬ３、給水ラインＬ２の先端に接続されたノズルから成るものとされているが、溶解槽２及び補助溶解槽３内の溶液を攪拌し得るものであれば、他の形態のもの（例えば、溶解槽２及び補助溶解槽３内で回転駆動可能なインペラ等）としてもよい。また、溶解槽２及び補助溶解槽３の上部に液体をシャワー状に噴出し得るシャワー手段を設け、循環ラインＬ３、給水ラインＬ２の先端に当該シャワー手段を接続するようにしてもよい。
【００２６】
液位検出手段６は、溶解槽２に配設されたセンサから成るもので、溶解槽２内に供給された水又は溶液の液位を連続的且つリアルタイムに検出可能なものである。本実施形態に係る液位検出手段６は、溶解槽２の収容空間内において鉛直方向に延設された変位部６ａと、溶解槽２内に収容された液体の液面に浮きつつ変位部６ａに沿って上下移動可能な浮き手段６ｂとを有した磁歪式リニア変位センサで構成されており、浮き手段６ｂの変位部６ａに対する位置を連続的且つリアルタイムに検出することにより、液面（すなわち液位）を検知可能とされている。
【００２７】
なお、液位検出手段６は、溶解槽２内に供給された水又は溶液の液位を連続的且つリアルタイムに検出可能なものであれば、接触式又は非接触式のどちらのタイプでもよく、本実施形態の如く浮き手段による磁歪式リニア変位センサの他、超音波センサ等により構成するようにしてもよい。また、本実施形態においては、液位検出手段６が溶解槽２のみに配設されているが、当該溶解槽２と共に補助溶解槽３にも配設するようにしてもよい。
【００２８】
また、本実施形態に係る溶解装置１の筐体部には、入力手段１０と、表示手段１１とが配設されている。入力手段１０は、操作者が入力操作可能な操作スイッチやタッチパネル等により構成されたもので、本実施形態においては、溶解槽２又は補助溶解槽３内に投入された透析用粉末薬剤の量を入力し得るものとされている。表示手段１１は、液晶モニタ等により構成されたもので、溶解作業に関する種々表示を行い得るものとされている。
【００２９】
ここで、本実施形態に係る溶解装置１は、液位検出手段６、入力手段１０及び表示手段１１等と電気的に接続された判断手段７を具備している。かかる判断手段７は、例えばマイコン等から成るもので、液位検出手段６により検出された液位に基づいて、溶解槽２内に供給された水の量に対する溶解槽２内に投入された透析用粉末薬剤の量の適否を判断し得るよう構成されている。
【００３０】
本実施形態に係る判断手段７は、溶解槽２内に供給された水の量に対して投入された透析用粉末薬剤の量が適正である場合（すなわち、所定量の水に対して予め定められた規定量の透析用粉末薬剤が投入された場合）の液位の理論値と、液位検出手段６により検出された液位の実測値とを比較し、当該液位の理論値と実測値との差から溶解槽２内に供給された水の量に対する溶解槽２内に投入された透析用粉末薬剤の量の適否を判断し得るものとされている。なお、「溶解槽２内に供給された水の量に対する溶解槽２内に投入された透析用粉末薬剤の量の適否」を判断することにより、同時に、「溶解槽２内に投入された透析用粉末薬剤の量に対する溶解槽２内に供給された水の量の適否」も判断することができる。
【００３１】
具体的には、判断手段７は、溶解槽２内に供給された水の量に対して投入された透析用粉末薬剤の量が適正である場合（すなわち、所定量の水に対して予め定められた規定量の透析用粉末薬剤が投入された場合）の液位の理論値を記憶する記憶手段８と、該記憶手段８にて記憶された液位の理論値と液位検出手段６により検出された液位の実測値とを比較（例えば、液位の理論値と液位の実測値との減算や比を算出）する算出手段９とを具備しており、液位の理論値と実測値とが略同一であれば、給水量に対する透析用粉末薬剤の投入量が適正であると判断するようになっている。
【００３２】
一方、本実施形態においては、溶解槽２内に投入された透析用粉末薬剤の量（具体的には、使用した溶解袋の数）を入力手段１０にて入力させるとともに、当該入力手段１０で入力された入力値と液位検出手段６により検出された液位とに基づいて、透析用粉末薬剤の投入量の適宜を判断し得るものとされている。すなわち、判断手段７は、入力手段１０で入力された入力値（溶解袋の数）にて透析用粉末薬剤の投入量（溶解袋の数×１つの溶解袋の容量）を把握し、その入力値と給水量とを比べて「適否」を判断するのである。これにより、溶解装置に対して透析用粉末薬剤の投入量を確実に把握させることができ、透析用粉末薬剤の投入量の適否を精度よく判断させることができる。
【００３３】
そして、判断手段７は、液位の実測値が液位の理論値より大きい値の場合、給水量に対する透析用粉末薬剤の投入量が過多である（投入すべき透析用粉末薬剤より多い）と判断するとともに、液位の実測値が液位の理論値より小さい場合、給水量に対する透析用粉末薬剤の投入量が不足である（投入すべき透析用粉末薬剤より少ない）と判断し、給水量に対する透析用粉末薬剤の量が何れも「適正」でないと判断するようになっている。
【００３４】
さらに、本実施形態に係る判断手段７の算出手段９は、液位の理論値と実測値との差から溶解槽２内に供給された水の量に対する溶解槽２内に投入された透析用粉末薬剤の過不足量（不足量又は過多量）を算出し得るよう構成されている。これにより、投入された透析用粉末薬剤の量の適否に加え、不足量又は過多量を把握することができ、適正とするために透析用粉末薬剤又は水をどの程度追加すべきか報知させることができる。
【００３５】
またさらに、本実施形態に係る判断手段７の算出手段９は、液位検出手段６により検出された液位に基づいて、溶解槽２内で生成された透析用原液の容量を算出し得るよう構成されている。溶解槽２内で生成された透析用原液の容量を算出することにより、例えば透析治療が終了するまで透析用原液が足りるか否かを判断することができる。したがって、液位検出手段６について、投入された透析用粉末薬剤の量の適否を判断するための手段として機能させるのに加え、溶解槽２内で生成された透析用原液の容量を算出するための手段として機能させることができる。
【００３６】
また、本実施形態に係る溶解装置１は、攪拌手段４による攪拌が所定時間行われるよう設定されるとともに、当該所定時間経過後、判断手段７により溶解槽２内に供給された水の量に対する溶解槽２内に投入された透析用粉末薬剤の量が適切でないと判断された場合、その旨を報知するようになっている。当該報知は、例えば表示手段１１による表示の他、音声によるお知らせ、ブザー等の警告音等であってもよい。
【００３７】
さらに、本実施形態においては、溶解槽２内に水及び透析用粉末薬剤が収容された状態であって攪拌手段４による攪拌前に、判断手段７により溶解槽２内に供給された水の量に対する溶解槽２内に投入された透析用粉末薬剤の量の適否を判断するよう構成されており、記憶手段８には、水に透析用粉末薬剤が全く溶けていないときの液位（未溶解時の液位）が「液位の理論値」として記憶されている。
【００３８】
次に、本実施形態に係る溶解装置１の制御内容（溶解槽２単独による透析用原液の作製）について、図３のフローチャートに基づいて説明する。
先ず、作業者は、投入する透析用粉末薬剤の量（すなわち、使用する溶解袋の数）を入力手段１０にて入力（Ｓ１）した後、バルブＶ１を開状態とすることで溶解槽２内に所定量の水を供給させ（Ｓ２）、入力手段１０に入力した量（溶解袋）の透析用粉末薬剤を溶解槽２に投入する（Ｓ３）。
【００３９】
そして、液位検出手段６にて透析用粉末薬剤の投入直後の液位を検出し（Ｓ４）、その検出された液位に基づいて、溶解槽２内に供給された水の量に対する溶解槽２内に投入された透析用粉末薬剤の量の適否を判断手段７にて判断する（Ｓ５）。このＳ５にて透析用粉末薬剤の量が適正であると判断されると、Ｓ６に進み、ポンプＰ１を駆動して攪拌手段４を作動させ、溶解槽２内の水及び透析用粉末薬剤を攪拌して溶解させることにより所定濃度の透析用原液を作製する。
【００４０】
一方、Ｓ５にて透析用粉末薬剤の量が適正でないと判断されると、Ｓ７に進み、液位検出手段６にて検出された液位が規定より低いか否かが判断され、低いと判断されると、透析用粉末薬剤の投入量が不足していると判断できるので、Ｓ８に進み、算出手段９にて当該不足量を算出するとともに、その不足量に応じた追加投入量（追加する溶解袋の数）を表示手段１１にて表示することで追加投入を指示する。
【００４１】
そして、Ｓ９にて作業者による入力操作を待ち、入力操作が行われると、その入力が作業を継続する旨の指示であるか否かが判断される（Ｓ１０）。Ｓ１０にて作業を継続する旨の指示が入力されたと判断されると、Ｓ３に進み、表示手段１１で表示された追加投入量の透析用粉末薬剤を溶解槽２に投入させる。なお、Ｓ１０にて作業を継続しない旨の指示が入力されたと判断されると、Ｓ１１に進み、溶解槽２内の溶液を廃棄させる。
【００４２】
また、Ｓ７にて液位検出手段６にて検出された液位が規定より高いと判断されると、透析用粉末薬剤の投入量が過多である（給水量が不足している）と判断できるので、Ｓ１２に進み、算出手段９にて当該過多量を算出するとともに、その過多量に応じた誤投入量（誤って使用した溶解袋の数）を表示手段１１にて表示する。そして、Ｓ１３にて作業者による入力操作を待ち、入力操作が行われると、その入力が作業を継続する旨の指示であるか否かが判断される（Ｓ１４）。
【００４３】
Ｓ１４にて業を継続する旨の指示が入力されたと判断されると、Ｓ１５に進み、給水量に適合する透析用粉末薬剤の投入量（溶解袋の数）に入力値が変更され、Ｓ２に戻ることとなる。なお、Ｓ１４にて作業を継続しない旨の指示が入力されたと判断されると、Ｓ１６に進み、溶解槽２内の溶液を廃棄させる。以上で、攪拌手段４による攪拌前に、判断手段７により溶解槽２内に供給された水の量に対する溶解槽２内に投入された透析用粉末薬剤の量の適否を判断するための制御が終了することとなる。
【００４４】
上記実施形態によれば、溶解槽２内に供給された水又は溶液の液位を連続的且つリアルタイムに検出可能な液位検出手段６と、液位検出手段６により検出された液位に基づいて、溶解槽２内に供給された水の量に対する溶解槽２内に投入された透析用粉末薬剤の量の適否を判断し得る判断手段７とを備えたので、溶解槽２内に投入した透析用粉末薬剤の量の適否を簡易な構成で精度よく判断することができる。
【００４５】
特に、本実施形態に係る判断手段７は、溶解槽２内に供給された水の量に対して投入された透析用粉末薬剤の量が適正である場合の液位の理論値と、液位検出手段により検出された液位の実測値とを比較し、当該液位の理論値と実測値との差から溶解槽２内に供給された水の量に対する溶解槽２内に投入された透析用粉末薬剤の量の適否を判断し得るので、投入された透析用粉末薬剤の量の適否をより精度よく判断することができる。
【００４６】
さらに、本実施形態においては、攪拌手段４による攪拌が所定時間行われるよう設定されるとともに、当該所定時間経過後、判断手段７により溶解槽２内に供給された水の量に対する溶解槽２内に投入された透析用粉末薬剤の量が適切でないと判断された場合、その旨を報知するので、投入された透析用粉末薬剤の量が適切でない透析用原液を透析治療装置側（透析液供給装置等）に送液してしまうのを防止することができる。なお、攪拌のための所定時間は、予め記憶されていてもよく、或いは入力手段１０にて入力するものであってもよい。
【００４７】
またさらに、本実施形態においては、溶解槽２内に水及び透析用粉末薬剤が収容された状態であって攪拌手段４による攪拌前に、判断手段７により溶解槽２内に供給された水の量に対する溶解槽２内に投入された透析用粉末薬剤の量の適否を判断するので、透析用原液の生成作業前に確実に透析用粉末薬剤の投入量の適否を判断することができ、投入量が適正でないと判断された場合であっても攪拌作業を繰り返し行わせる必要がないことから作業性を向上させることができる。
【００４８】
次に、本発明の他の実施形態に係る溶解装置１の制御内容について、図４のフローチャートに基づいて説明する。ここで、本実施形態においては、攪拌手段４による攪拌後に、判断手段７により溶解槽２内に供給された水の量に対する溶解槽２内に投入された透析用粉末薬剤の量の適否を判断するよう構成されており、記憶手段８には、水に透析用粉末薬剤が完全に溶けていないときの液位（溶解時の液位）が「液位の理論値」として記憶されている。
【００４９】
先ず、作業者は、投入する透析用粉末薬剤の量（すなわち、使用する溶解袋の数）を入力手段１０にて入力（Ｓ１）した後、バルブＶ１を開状態とすることで溶解槽２内に所定量の水を供給させ（Ｓ２）、入力手段１０に入力した量（溶解袋）の透析用粉末薬剤を溶解槽２に投入する（Ｓ３）。そして、Ｓ４にてポンプＰ１を駆動して攪拌手段４を作動させ、溶解槽２内の水及び透析用粉末薬剤を所定時間攪拌して溶解させることにより溶液（透析用原液）を作製する。
【００５０】
その後、液位検出手段６にて水及び透析用粉末薬剤の攪拌終了後の液位を検出し（Ｓ５）、その検出された液位に基づいて、溶解槽２内に供給された水の量に対する溶解槽２内に投入された透析用粉末薬剤の量の適否を判断手段７にて判断する（Ｓ６）。このＳ６にて透析用粉末薬剤の量が適正であると判断されると、一連の攪拌及び溶解作業が終了することとなる。
【００５１】
一方、Ｓ６にて透析用粉末薬剤の量が適正でないと判断されると、Ｓ７に進み、液位検出手段６にて検出された液位が規定より低いか否かが判断されるとともに、図示しない電導度計にて検出された濃度が所定より低いか否かが判断される。Ｓ７にて、液位検出手段６にて検出された液位が規定より低く、且つ、電導度計にて検出された濃度が所定より低いと判断されると、透析用粉末薬剤の投入量が不足していると判断できるので、Ｓ８に進み、算出手段９にて当該不足量を算出するとともに、その不足量に応じた追加投入量（追加する溶解袋の数）を表示手段１１にて表示することで追加投入を指示する。
【００５２】
そして、Ｓ９にて作業者による入力操作を待ち、入力操作が行われると、その入力が作業を継続する旨の指示であるか否かが判断される（Ｓ１０）。Ｓ１０にて作業を継続する旨の指示が入力されたと判断されると、Ｓ３に進み、表示手段１１で表示された追加投入量の透析用粉末薬剤を溶解槽２に投入させる。なお、Ｓ１０にて作業を継続しない旨の指示が入力されたと判断されると、Ｓ１１に進み、溶解槽２内の溶液を廃棄させる。
【００５３】
また、Ｓ７にて液位検出手段６にて検出された液位が規定より高く、且つ、電導度計にて検出された濃度が所定より高いと判断されると、透析用粉末薬剤の投入量が過多である（給水量が不足している）と判断できるので、Ｓ１２に進み、算出手段９にて当該過多量を算出するとともに、その過多量に応じた誤投入量（誤って使用した溶解袋の数）を表示手段１１にて表示する。そして、Ｓ１３にて作業者による入力操作を待ち、入力操作が行われると、その入力が作業を継続する旨の指示であるか否かが判断される（Ｓ１４）。
【００５４】
Ｓ１４にて業を継続する旨の指示が入力されたと判断されると、Ｓ１５に進み、給水量に適合する透析用粉末薬剤の投入量（溶解袋の数）に入力値が変更され、Ｓ２に戻ることとなる。なお、Ｓ１４にて作業を継続しない旨の指示が入力されたと判断されると、Ｓ１６に進み、溶解槽２内の溶液を廃棄させる。以上で、攪拌手段４による攪拌後に、判断手段７により溶解槽２内に供給された水の量に対する溶解槽２内に投入された透析用粉末薬剤の量の適否を判断するための制御が終了することとなる。
【００５５】
上記実施形態によれば、先の実施形態と同様、溶解槽２内に供給された水又は溶液の液位を連続的且つリアルタイムに検出可能な液位検出手段６と、液位検出手段６により検出された液位に基づいて、溶解槽２内に供給された水の量に対する溶解槽２内に投入された透析用粉末薬剤の量の適否を判断し得る判断手段７とを備えたので、溶解槽２内に投入した透析用粉末薬剤の量の適否を簡易な構成で精度よく判断することができる。
【００５６】
特に、本実施形態によれば、Ｓ７にて、液位検出手段６にて検出された液位が規定より低いか否かの判断に加え、電導度計にて検出された濃度が所定より低いか否かの判断がなされているので、当該液位の相違が透析用粉末薬剤の溶け残りに起因しているのか否かをも判別することができ、より精度が高い判断手段７による判断を行わせることができるのである。なお、Ｓ７において、先の実施形態と同様、液位検出手段６にて検出された液位が規定より低いか否かの判断のみ行わせるものとしてもよい。
【００５７】
以上、本実施形態について説明したが、本発明はこれに限定されず、液位検出手段６により検出された液位に基づいて、溶解槽２内に供給された水の量に対する溶解槽２内に投入された透析用粉末薬剤の量の適否を判断し得る判断手段を具備したものであれば、液位の理論値と実測値との差を算出するものに限らず、他のパラメータから判断するものとしてもよい。また、本実施形態においては、溶解槽２内に供給された水の量に対する溶解槽２内に投入された透析用粉末薬剤の過不足量を算出手段９にて算出しているが、当該算出を行わず、透析用粉末薬剤の投入量の適否のみを判断するものとしてもよい。
【００５８】
なお、本実施形態においては、溶解槽２に加えて補助溶解槽３を具備しているが、溶解槽２のみを具備したもの、或いは補助溶解槽３にも溶解槽２と同様の液位検出手段６を具備させ、その液位検出手段６を判断手段７に電気的に接続したもの等としてもよい。さらに、２つの溶解槽のそれぞれで透析用粉末薬剤を溶解して透析用原液を生成し得るものとし、それら溶解槽から透析治療装置側（透析液供給装置等）に対して交互に送液し得るものとしてもよい。また、本実施形態においては、溶解槽２及び補助溶解槽３に同種の透析用粉末薬剤を投入して溶解するものとしているが、溶解槽２と補助溶解槽３がそれぞれ独立して溶解が可能な配管構成であれば、互いに異なる透析用粉末薬剤（Ａ剤とＢ剤）をそれぞれ投入して溶解可能なものとしてもよい。
【００５９】
さらに、判断手段７は、液位検出手段６により検出された液位に基づいて、溶解槽２内に供給された水の量に対する溶解槽内に投入された透析用粉末薬剤の量の適否を判断しているが、液位検出手段６により検出された液位に基づいて、溶解槽２内で生成された溶液における透析用粉末薬剤の溶け残りの有無の判断も併せて行うものとしてもよい。この場合、判断手段７は、透析用粉末薬剤が水に完全に溶解したときの液位の理論値と、液位検出手段６により検出された液位の実測値とを比較し、当該液位の理論値と実測値との差から透析用粉末薬剤の溶け残りの有無を判断するのが好ましい。これにより、液位検出手段６について、投入された透析用粉末薬剤の量の適否を判断するための手段として機能させるのに加え、透析用粉末薬剤の溶け残りの有無を判断するための手段として機能させることができる。
【産業上の利用可能性】
【００６０】
液位検出手段により検出された液位に基づいて、溶解槽内に供給された水の量に対する溶解槽内に投入された透析用粉末薬剤の量の適否を判断し得るとともに、溶解槽内に供給された水の量に対して投入された透析用粉末薬剤の量が適正である場合の液位の理論値と、液位検出手段により検出された液位の実測値とを比較し、当該液位の理論値と実測値との差から溶解槽内に供給された水の量に対する溶解槽内に投入された透析用粉末薬剤の過不足量を算出し得る溶解装置であれば、外観形状が異なるもの或いは他の機能が付加されたもの等にも適用することができる。
【符号の説明】
【００６１】
１    溶解装置
２    溶解槽
３    補助溶解槽
４    攪拌手段
５    攪拌手段
６    液位検出手段
７    判断手段
８    記憶手段
９    算出手段
１０  入力手段
１１  表示手段
Ｌ１、Ｌ２  給水ライン
【図１】
2019022754.tif 000003
【図２】
2019022754.tif 000004
【図３】
2019022754.tif 000005
【図４】
2019022754.tif 000006